(57)【特許請求の範囲】
【請求項１】
ドライバに対して目的地情報を提供する情報提供装置に目的地を設定する目的地設定システムであって、
前記目的地情報を、前記情報提供装置に前記目的地を設定するための目的地設定情報に変換する情報処理サーバと、
前記目的地情報を前記情報処理サーバへ送信して、前記情報処理サーバから前記目的地設定情報を受信する情報設定装置と、を備え、
前記情報設定装置は、前記目的地設定情報を前記情報提供装置に対して出力し、前記情報提供装置に前記目的地を設定し、
前記目的地設定情報は、前記情報提供装置が音声認識可能な音声情報であり、
前記情報設定装置は、前記音声情報を出力し、前記情報提供装置に前記音声情報を認識させて、前記情報提供装置に前記目的地を設定することを特徴とする目的地設定システム。
【請求項２】
ドライバに対して目的地情報を提供する情報提供装置に目的地を設定する目的地設定システムであって、
前記目的地情報を、前記情報提供装置に前記目的地を設定するための目的地設定情報に変換する情報処理サーバと、
前記目的地情報を前記情報処理サーバへ送信して、前記情報処理サーバから前記目的地設定情報を受信する情報設定装置と、を備え、
前記情報設定装置は、前記目的地設定情報を前記情報提供装置に対して出力し、前記情報提供装置に前記目的地を設定し、
前記情報設定装置は、前記情報提供装置の機種情報を、前記目的地情報と共に前記情報処理サーバへ送信し、
前記目的地設定情報は、前記情報提供装置が音声認識可能な音声情報であり、
前記情報処理サーバは、前記情報提供装置の前記機種情報に基づいて、前記目的地情報を、前記情報提供装置における目的地の設定手順に応じて所定の区分ごとに分割した前記音声情報に変換し、
前記情報設定装置は、前記設定手順に従って前記音声情報を出力し、前記情報提供装置に前記音声情報を認識させて、前記情報提供装置に前記目的地を設定することを特徴とする目的地設定システム。
【請求項３】
ドライバに対して目的地情報を提供する情報提供装置に目的地を設定する目的地設定システムであって、
前記目的地情報を、前記情報提供装置に前記目的地を設定するための目的地設定情報に変換する情報処理サーバと、
前記目的地情報を前記情報処理サーバへ送信して、前記情報処理サーバから前記目的地設定情報を受信する情報設定装置と、を備え、
前記情報設定装置は、前記目的地設定情報を前記情報提供装置に対して出力し、前記情報提供装置に前記目的地を設定し、
前記情報設定装置は、前記情報提供装置の機種情報を、前記目的地情報と共に前記情報処理サーバへ送信し、
前記情報提供装置の機種情報を検索するための情報提供装置データベースを有し、前記情報処理サーバと通信可能な記憶装置をさらに備え、
前記情報処理サーバは、
前記情報設定装置から受信した前記機種情報を前記情報提供装置データベースで検索し、
前記情報処理サーバで受信した前記機種情報が前記情報提供装置データベースに含まれていない場合に、前記目的地情報を、前記情報提供装置が音声認識可能な音声情報を含む前記目的地設定情報に変換することを特徴とする目的地設定システム。
【請求項４】
ドライバに対して目的地情報を提供する情報提供装置に目的地を設定する目的地設定方法であって、
情報設定装置が、前記目的地情報を情報処理サーバへ送信する第１の送信ステップと、
前記情報処理サーバが、前記目的地情報を、前記情報提供装置に前記目的地を設定するための目的地設定情報として、前記情報提供装置が音声認識可能な音声情報を含む情報に変換する変換ステップと、
前記情報処理サーバが、前記目的地設定情報を前記情報設定装置に送信する第２の送信ステップと、
前記情報設定装置が、前記目的地設定情報として、前記音声情報を前記情報提供装置に対して出力し、前記情報提供装置に前記目的地を設定する設定ステップと、を備えたことを特徴とする目的地設定方法。
【請求項５】
ドライバに対して目的地情報を提供する情報提供装置に目的地を設定する目的地設定方法であって、
情報設定装置が、前記目的地情報及び前記情報提供装置の機種情報を情報処理サーバへ送信する第１の送信ステップと、
前記情報処理サーバが、前記目的地情報を、前記情報提供装置に前記目的地を設定するための目的地設定情報として、前記情報提供装置の前記機種情報に基づいて、前記情報提供装置における目的地の設定手順に応じて所定の区分ごとに分割した音声情報を含む情報に変換する変換ステップと、
前記情報処理サーバが、前記目的地設定情報を前記情報設定装置に送信する第２の送信ステップと、
前記情報設定装置が、前記目的地設定情報として、前記音声情報を前記設定手順に従って前記情報提供装置に対して出力し、前記情報提供装置に前記目的地を設定する設定ステップと、を備えたことを特徴とする目的地設定方法。
【請求項６】
ドライバに対して目的地情報を提供する情報提供装置に目的地を設定する目的地設定方法であって、
情報設定装置が、前記目的地情報及び前記情報提供装置の機種情報を情報処理サーバへ送信する第１の送信ステップと、
前記情報処理サーバが、前記情報設定装置から受信した前記機種情報を情報提供装置データベースで検索する検索ステップと、
前記検索ステップにおいて、前記情報処理サーバで受信した前記機種情報が前記情報提供装置データベースに含まれていない場合に、前記情報処理サーバが、前記目的地情報を、目的地設定情報として、前記情報提供装置が音声認識可能な音声情報を含む情報に変換する変換ステップと、
前記情報処理サーバが、前記目的地設定情報を前記情報設定装置に送信する第２の送信ステップと、
前記情報設定装置が、前記目的地設定情報を前記情報提供装置に対して出力し、前記情報提供装置に前記目的地を設定する設定ステップと、を備えたことを特徴とする目的地設定方法。
【発明の詳細な説明】
【技術分野】
【０００１】
本発明は、ドライバに対して目的地情報を提供する情報提供装置に目的地を設定する目的地設定システム及び目的地設定方法に関するものである。
【背景技術】
【０００２】
携帯端末を用いて経路探索条件をナビゲーションサーバに送信し、ナビゲーションサーバが経路探索条件に対応する地図データを携帯端末に提供することで、携帯端末が目的地までの誘導を行う情報処理方法が知られている（例えば、特許文献１参照）。
【先行技術文献】
【特許文献】
【０００３】
【特許文献１】特開２０１０−７１９９３号公報
【発明の概要】
【発明が解決しようとする課題】
【０００４】
上記の情報処理方法は、目的地の設定と、目的地までの経路案内との両方を、ユーザの携帯端末で行う方法であるため、携帯端末で設定した目的地までの経路案内を、自動車に搭載されたナビゲーション装置に実行させる点については検討されていない。
【０００５】
このため、携帯端末が取得した目的地の情報に基づいてナビゲーション装置に経路案内をさせるためには、改めてナビゲーション装置に目的地を設定する必要がある。
【０００６】
本発明が解決しようとする課題は、情報設定装置の保有する目的地情報に基づいた目的地を、ドライバに対して目的地情報を提供する情報提供装置に、簡単に設定することが可能な目的地設定システム、目的地設定支援システム、目的地設定方法、及び目的地設定支援方法を提供することである。
【課題を解決するための手段】
【０００７】
本発明は、情報処理サーバが、目的地情報を、情報提供装置に設定するための目的地設定情報として、情報提供装置が音声認識可能な音声情報を含む情報に変換し、情報設定装置が、目的地設定情報として、音声情報を情報提供装置に対して出力することで上記課題を解決する。
【発明の効果】
【０００９】
本発明によれば、情報設定装置が保有している目的地情報に基づいた目的地を、ドライバに対して目的地情報を提供する情報提供装置に、簡単に設定することができる。
【図面の簡単な説明】
【００１０】
【図１】図１は、本発明の実施形態における目的地設定システムの構成を示すブロック図である。
【図２】図２は、本発明の実施形態における目的地設定方法を示すフローチャートである。
【図３】図３は、本発明の実施形態における情報設定装置に表示される画像の一例を示す図である（その１）。
【図４】図４は、本発明の実施形態における情報設定装置に表示される画像の一例を示す図である（その２）。
【図５】図５は、本発明の実施形態における情報設定装置に表示される画像の一例を示す図である（その３）。
【発明を実施するための形態】
【００１１】
以下、本発明の実施形態を図面に基づいて説明する。
【００１２】
図１は本実施形態における目的地設定システムの構成を示すブロック図である。
【００１３】
本実施形態における目的地設定システム１は、情報提供装置１０、情報設定装置２０、情報処理サーバ３０及び記憶装置４０を備えている。
【００１４】
情報提供装置１０は、自動車に搭載され、自動車を運転するドライバに目的地に関する情報を提供したり、目的地までの経路案内を行うナビゲーション装置である。
【００１５】
この情報提供装置１０は、自車両の位置を検出する位置検出装置１１と、地図データが格納された地図データベース１２と、設定される目的地を認識して、目的地までの経路探索を行う経路探索装置１３と、目的地を入力するための設定画面や目的地までの経路案内を表示するディスプレイ１４と、を有している。
【００１６】
経路探索装置１３は、例えば、目的地提供情報（後述）を認識する際のプログラムや、経路探索を行うプログラムが格納されたＲＯＭ（Read Only Memory）と、このＲＯＭに格納されたプログラムを実行するＣＰＵ（Central Processing Unit）と、アクセス可能な記憶装置として機能するＲＡＭ（Random Access Memory）と、を有するコンピュータで構成されている。
【００１７】
また、本実施形態では、経路探索装置１３が、音声情報を認識するためのマイクロフォンと、音声認識をさせる際のトリガとなる音声認識ボタンとをさらに備えているが、これらの有無については特に限定されない。
【００１８】
また、情報提供装置１０が赤外線方式のリモコンを有していてもよく、この場合には、経路探索装置１３は、リモコンのコマンド情報を認識するコマンド認識装置を有していてもよい。
【００１９】
情報設定装置２０は、目的地の情報を保有するサーバにネットワークを介して接続して、目的地のＰＯＩ(Point Of Interest)情報を取得可能な装置であり、例えばスマートフォンや高機能携帯電話等の携帯端末を挙げることができる。なお、本実施形態におけるＰＯＩ情報には、目的地の名称、電話番号及び住所等が含まれる。
【００２０】
この情報設定装置２０は、ＰＯＩ情報の取得や、情報提供装置１０及び情報処理サーバ３０との間で情報の入出力等を制御する制御装置２１と、ディスプレイ２２と、音声情報を出力するスピーカ２３と、ネットワークに接続可能なネットワーク通信装置２４と、情報処理サーバ３０に情報を送信する送信装置２５と、情報処理サーバ３０から送信された情報を受信する受信装置２６と、情報提供装置１０との間で赤外線通信が可能な赤外線通信装置２７と、を有している。
【００２１】
情報処理サーバ３０は、ＰＯＩ情報を目的地設定情報（後述）に変換したり、ＰＯＩ情報に基づいて目的地設定手順情報（後述）を作成する装置であり、これらの処理を実行する処理装置３１を有している。さらに、情報処理サーバ３０は、情報設定装置２０から送信された情報を受信する受信装置３２と、目的地設定情報や目的地設定手順情報を情報設定装置２０へ送信する送信装置３３と、を備えている。なお、この情報処理サーバ３０は、上述した目的地の情報を保有するサーバと同一のサーバであってもよい。
【００２２】
なお、上記の目的地設定情報とは、情報提供装置１０に目的地を設定する際に、情報提供装置１０が認識可能な情報であり、例えば、情報提供装置１０が音声認識機能（マイクロフォン）を有している場合には、音声情報であり、情報提供装置１０が赤外線方式のリモコンを有している場合には、情報設定装置２０が検出可能な赤外線のコマンド情報である。
【００２３】
また、目的地設定手順情報とは、後で詳細に説明するが、ユーザが目的地を設定する際の手順を提示した画像情報である。
【００２４】
記憶装置４０は、ＰＯＩ情報の特徴（例えば、住所における行政区分ごとの区切り）、情報提供装置１０の機種名、機能及び操作方法等の情報を含む情報提供装置データベース４１を有する装置であり、情報処理サーバ３０と通信可能となっている。
【００２５】
次に、図２を参照して、本実施形態における目的地設定方法を説明する。
【００２６】
図２は本実施形態における目的地設定方法を示すフローチャート、図３〜図５は本実施形態における情報設定装置に表示される画像の一例を示す図である。
【００２７】
まず、ステップＳ１０１では、情報設定装置２０が、目的地の最新情報を保有するサーバにネットワークを介して接続して、目的地のＰＯＩ情報を取得する。これにより、ユーザは、最新の目的地の情報を入手することができる。なお、本実施形態において取得されたＰＯＩ情報は、名称が「○○××△」で、住所が「東京都○×区△△」であるものとする。
【００２８】
次いで、ステップＳ１０２では、ユーザが情報提供装置１０の機種を特定可能か否か判断する。ユーザが情報提供装置１０の機種を特定できない場合には、ユーザは、ＰＯＩ情報のみを情報設定装置２０に入力し、ステップＳ１０３へ進む。
【００２９】
ステップＳ１０３では、情報設定装置２０が、目的地のＰＯＩ情報を情報処理サーバ３０に送信する。
【００３０】
次いで、ステップＳ１０４では、情報処理サーバ３０が、情報設定装置２０から送信されたＰＯＩ情報を受信する。なお、この際に、情報処理サーバ３０が、情報設定装置２０に対して、情報提供装置１０の機種情報を問い合わせして、ユーザに対して機種情報の確認を促してもよい。
【００３１】
また、情報処理サーバ３０は、受信したＰＯＩ情報を音声情報に変換すると共に、情報設定装置２０のディスプレイ２２に表示可能なテキスト情報を作成する。
【００３２】
具体的には、情報処理サーバ３０は、ＰＯＩ情報を、目的地の名称の音声情報と、目的地の住所を一連に称呼する音声情報と、目的地の住所を行政区分ごとに分割した音声情報と、に変換する。また、情報処理サーバ３０は、ＰＯＩ情報に基づいて、目的地の名称のテキスト情報Ｔ１と、目的地の住所のテキスト情報Ｔ２と、「住所区分ごとの音声」といったテキスト情報Ｔ３と、を作成する（図３参照）。
【００３３】
次いで、ステップＳ１０５では、情報処理サーバ３０が、目的地のテキスト情報Ｔ１〜Ｔ３及び音声情報を情報設定装置２０に送信する。
【００３４】
次いで、ステップＳ１０６では、情報設定装置２０が、情報処理サーバ３０から送信された目的地のテキスト情報Ｔ１〜Ｔ３及び音声情報を受信する。次いで、情報設定装置２０は、図３に示すように、目的地のテキスト情報Ｔ１〜Ｔ３と、音声再生のトリガとなるボタンＢ１０〜Ｂ５０とをディスプレイ２２に表示する。
【００３５】
詳細に説明すると、情報設定装置２０のディスプレイ２２には、同図に示すように、名称「○○××△」のテキスト情報Ｔ１と共に「名称音声再生」のボタンＢ１０を表示する。また、情報設定装置２０は、住所「東京都○×区△△」のテキスト情報Ｔ２と共に「住所音声再生」のボタンＢ２０も表示する。本実施形態では、これらの表示に加えて、情報設定装置２０のディスプレイ２２に、住所区分ごとの音声再生のトリガとして、「都道府県音声再生」のボタンＢ３０と、「市区町村音声再生」のボタンＢ４０と、「住所詳細音声再生」のボタンＢ５０と、を表示する。
【００３６】
次いで、ユーザが情報提供装置１０の音声認識ボタンを押して、情報提供装置１０を音声認識可能な状態にし、情報設定装置２０が、情報提供装置１０に対して上記の音声情報を出力する。
【００３７】
具体的には、目的地設定のために住所の情報が必要な場合には、上記のように、ユーザが、情報設定装置２０のディスプレイ２２に表示された「住所音声再生」のボタンＢ２０を選択することで、情報設定装置２０は、目的地の住所の音声「東京都○×区△△」を再生する。これにより、情報提供装置１０に目的地の住所が入力され、目的地が設定される。
【００３８】
また、情報提供装置１０に目的地を設定する手順として、住所を行政区分ごと区切って音声入力する必要がある場合には、ユーザが、図３に示すボタンＢ３０〜Ｂ５０を順番に選択することで、情報設定装置２０は、都道府県の音声「東京都」、市区町村の音声「○×区」、住所詳細の音声「△△」を順番に再生する。
【００３９】
このように、本実施形態では、情報提供装置１０の機種が不明な場合であっても、情報提供装置１０が音声認識機能を有していれば、情報処理サーバ３０によって音声情報に変換されたＰＯＩ情報を情報提供装置１０に対して出力することで、ＰＯＩ情報に基づいた目的地を、情報提供装置１０に設定することが可能となっている。さらに、情報処理サーバ３０が音声情報を作成する際に、情報提供装置１０が認識しやすい音声にすることで、正確に情報提供装置１０に目的地を設定することもできる。
【００４０】
また、本実施形態では、このように、音声情報を出力することで情報提供装置１０に目的地を設定しているので、情報設定装置２０と情報提供装置１０とを接続する専用の接続装置が不要となっている。このため、情報設定装置２０は、さまざまな情報提供装置１０に対して目的地を設定することが可能となっている。また、情報設定装置２０が、複数の情報提供装置１０に対して、同じ音声情報（ＰＯＩ情報）を出力して、複数の情報提供装置１０に同じ目的地を設定することも可能となっている。
【００４１】
また、本実施形態では、情報提供装置１０が音声認識機能を有していれば、最新でない情報提供装置１０に対しても目的地を設定することができる。
【００４２】
また、本実施形態では、情報処理サーバ３０が、ＰＯＩ情報を、目的地の住所を行政区分ごとに分割した音声情報にも変換しているので、情報設定装置１０が、行政区分ごとに分割した音声情報を順番に出力することも可能となっている。これにより、情報提供装置１０における目的地の設定手順に応じた目的地の設定も可能となっている。
【００４３】
また、本実施形態では、ネットワーク上での検索よって取得した最新のＰＯＩ情報に基づいた目的地の設定ができるため、情報提供装置１０が最新の情報で経路案内を実行することができる。
【００４４】
一方、ステップＳ１０２に戻って、ユーザが情報提供装置１０の機種を特定できると判断した場合には、ユーザは、取得した目的地のＰＯＩ情報と、情報提供装置１０の機種情報とを情報設定装置２０に入力し、ステップＳ１１０に進む。
【００４５】
ステップＳ１１０では、情報設定装置２０が、目的地のＰＯＩ情報と、情報提供装置１０の機種情報とを情報処理サーバ３０に送信する。
【００４６】
次いで、ステップＳ１１２では、情報処理サーバ３０が、情報設定装置２０から送信されたＰＯＩ情報と、情報提供装置１０の機種情報とを受信する。次いで、情報処理サーバ３０は、情報提供装置データベース４１にアクセスして、情報提供装置データベース４１の中に、受信した情報提供装置１０の機種情報と、一致する情報があるか否かを調べる。
【００４７】
情報提供装置データベース４１の中に、受信した情報提供装置１０の機種情報と一致する情報がなかった場合には、上述したステップＳ１０４に進み、ＰＯＩ情報を音声情報に変換する。
【００４８】
このように、本実施形態では、情報提供装置データベース４１の中に情報提供装置１０の機種情報が含まれていない場合であっても、情報処理サーバ３０がＰＯＩ情報を音声情報に変換する。このため、情報提供装置１０が音声認識機能を有していれば、情報設定装置２０が音声情報を出力することで、情報設定装置２０が取得したＰＯＩ情報に基づいて、情報提供装置１０に対して簡単に目的地を設定することが可能となっている。
【００４９】
一方、上述したステップＳ１１２において、情報提供装置データベース４１の中に、受信した情報提供装置１０の機種情報と一致する情報があった場合には、ステップＳ１１４に進む。
【００５０】
ステップＳ１１４では、情報処理サーバ３０が、情報提供装置データベース４１における情報提供装置１０の情報の中に、音声認識機能が含まれているか否かを調べる。情報提供装置１０が音声認識機能を有している場合には、ステップＳ１１５へ進む。
【００５１】
ステップＳ１１５では、情報処理サーバ３０が、情報提供装置１０の機種情報に基づいて、ＰＯＩ情報を、情報提供装置１０における目的地の設定手順に対応した音声情報に変換すると共に、情報設定装置２０のディスプレイ２２に表示される音声認識操作用のテキスト情報を作成する。
【００５２】
なお、目的地の設定手順に対応した音声情報とは、例えば、目的地の住所を行政区分ごとに音声入力する必要がある設定手順に対しては、住所を、都道府県と、市区町村と、住所詳細と、に分割した音声情報を挙げることができる（図４参照）。
【００５３】
また、音声認識操作用のテキスト情報とは、音声認識操作の操作手順（フロー）に対応するテキスト情報であり、上記のように目的地の住所を行政区分ごとに音声入力する必要がある設定手順に対しては、ユーザに対して情報提供装置１０の音声認識機能の起動を促す「ステップ２０１：音声認識ボタンを押す」とのテキスト情報Ｔ４、ユーザに対して都道府県の音声入力を促す「ステップ２０２：都道府県入力」とのテキスト情報Ｔ５、ユーザに対して市区町村の音声入力を促す「ステップ２０３：市区町村入力」とのテキスト情報Ｔ６、及び、ユーザに対して住所の詳細の入力を促す「ステップ２０４：住所詳細選択入力」とのテキスト情報Ｔ７を挙げることができる（図４参照）。
【００５４】
次いで、ステップＳ１０５において、情報処理サーバ３０が、音声情報及び音声認識操作用のテキスト情報Ｔ４〜Ｔ７を情報設定装置２０に送信する。
【００５５】
次いで、ステップＳ１０６では、情報設定装置２０が、情報処理サーバ３０から送信された音声情報及び音声認識操作のテキスト情報Ｔ４〜Ｔ７を受信する。次いで、情報設定装置２０は、図４に示すように、上記の音声認識操作用のテキスト情報Ｔ４〜Ｔ７と、音声情報のボタンＢ６０〜Ｂ９０とをディスプレイ２２に表示する。
【００５６】
詳細に説明すると、同図に示すように、ディスプレイ２２に、名称「○○××△」、住所「東京都○×区△△」及びナビ「ＸＸ□□□□□」のテキスト情報を表示する。さらに、ディスプレイ２２に、「ステップ２０１：音声認識ボタンを押す」のテキスト情報Ｔ４と共に「住所検索音声再生」のボタンＢ６０を表示する。また、ディスプレイ２２に、「ステップ２０２：都道府県入力」のテキスト情報Ｔ５と共に「都道府県音声再生」のボタンＢ７０を表示し、「ステップ２０３：市区町村入力」のテキスト情報Ｔ６と共に「市区町村音声再生」のボタンＢ８０を表示し、「ステップ２０４：住所詳細選択入力」のテキスト情報Ｔ７と共に「住所詳細音声再生」のボタンＢ９０を表示する。
【００５７】
次いで、情報設定装置２０が、音声情報を出力して情報提供装置１０に目的地を設定する。具体的には、まず、ユーザが、図４に示すように、情報設定装置２０のディスプレイ２２に表示された「ステップ２０１」に従って、情報提供装置１０の音声認識ボタンを押して、情報提供装置１０を音声認識可能な状態する。次いで、ユーザがディスプレイ２２に表示されたボタンＢ６０を選択して、情報設定装置２０が「住所検索」の音声を再生する。
【００５８】
次いで、ユーザが、情報設定装置２０のディスプレイ２２に表示された「ステップ２０２」に従って、ボタンＢ７０を選択することで、情報設定装置２０が、都道府県の「東京都」の音声を再生する。次いで、ユーザが、情報設定装置２０のディスプレイ２２に表示された「ステップ２０３」に従って、ボタンＢ８０を選択することで、情報設定装置２０が、市区町村の「○×区」の音声を再生する。次いで、ユーザが、情報設定装置２０のディスプレイ２２に表示された「ステップ２０４」に従って、ボタンＢ９０を選択することで、情報設定装置２０が、詳細な住所の「△△」の音声を再生する。これにより、情報提供装置１０における目的地設定のステップバイステップの手順に従って、情報提供装置１０に目的地の住所が入力され、情報提供装置１０に目的地が設定される。
【００５９】
なお、本実施系形態では、上記のように、ＰＯＩ情報を、都道府県と、市区町村と、住所詳細とに分割した音声情報に変換しているが、特に限定されない。例えば、ＰＯＩ情報を、情報提供装置１０における目的地の設定手順に応じて、都道府県から市区町村までが一連となった音声情報と、住所詳細の音声情報とに変換してもよい。
【００６０】
本実施形態では、情報設定装置２０が情報提供装置１０の機種情報を情報処理サーバ３０に送信するので、情報処理サーバ３０が、ＰＯＩ情報を、情報提供装置１０における目的地の設定手順に応じた音声情報に変換することができる。
【００６１】
また、本実実施形態では、このような目的地の設定手順に応じた音声情報を、情報設定装置２０に対して出力しているので、ユーザは、タクシーや他人の自動車に搭載された使い慣れない情報提供装置１０に対しても、簡単に目的地を設定することが可能となっている。
【００６２】
一方、上述したステップＳ１１４において、情報提供装置データベース４１における情報提供装置１０の情報の中に、音声認識機能が含まれていない場合には、ステップＳ１１６へ進む。
【００６３】
ステップＳ１１６では、情報処理サーバ３０が、情報提供装置データベース４１における情報提供装置１０の情報の中に、リモコン機能が含まれているか否かを調べる。情報提供装置データベース４１における情報提供装置１０の情報の中に、リモコン機能が含まれている場合には、ステップＳ１１７へ進む。
【００６４】
ステップＳ１１７では、情報処理サーバ３０が、情報提供装置１０の機種情報に基づいて、ＰＯＩ情報を、リモコンにおける目的地の設定手順に応じた赤外線のコマンド情報に変換する。
【００６５】
なお、リモコン操作による目的地の設定手順としては、例えば、ユーザがリモコンの十字キー等を操作し、情報提供装置１０のディスプレイ１４に表示される設定画面の「住所入力」を選択し、次いで、ディスプレイ１４に表示される都道府県の一覧の中から「東京都」を選択し、次いで、ユーザが、リモコンの十字キー等を操作して、ディスプレイ１４に表示される市区町村の一覧の中から「○×区」を選択し、次いで、ディスプレイ１４に表示される詳細住所入力欄に「△△」を入力するといった手順を挙げることができる。
【００６６】
このようなリモコン操作による目的地の設定手順に応じた赤外線のコマンド情報とは、情報処理サーバ３０は、上述したリモコン操作による「住所入力」の選択に対応するコマンドと、都道府県の一覧から目的地の都道府県を選択するリモコン操作に対応するコマンドと、市区町村の一覧から目的地の市区町村を選択するリモコン操作に対応するコマンドと、「詳細住所入力欄」に詳細住所を入力するリモコン操作に対応するコマンドと、を情報提供装置１０に入力する順番に配列したコマンド情報を挙げることができる。
【００６７】
次いで、ステップＳ１１８では、情報処理サーバ３０が、上述したコマンド情報を情報設定装置２０に送信する。
【００６８】
次いで、ステップＳ１１９では、情報設定装置２０が、情報処理サーバ３０から送信されたコマンド情報を受信する。次いで、情報設定装置２０は、このコマンド情報を赤外線通信で情報提供装置１０に送信する。
【００６９】
本実施形態では、情報設定装置２０が情報提供装置１０の機種情報を情報処理サーバ３０に送信するので、情報処理サーバ３０が、ＰＯＩ情報を、情報提供装置１０における目的地の設定手順に応じた赤外線のコマンド情報に変換することができる。
【００７０】
また、本実施形態においては、情報処理サーバ３０がＰＯＩ情報を赤外線のコマンド情報に変換して、情報設定装置２０が赤外線のコマンド情報を出力するので、情報設定装置１０が保有するＰＯＩ情報に基づいた目的地を、情報提供装置１０に簡単に設定することが可能となっている。
【００７１】
しかも、本実施形態では、目的地設定のために必要なコマンド情報を一括して送信しているので、上述したようなリモコン操作で都道府県や市区町村を順番に選択するよりも、さらに簡単に目的地を設定することが可能となっている。
【００７２】
一方、上述したステップＳ１１６において、情報提供装置データベース４１における情報提供装置１０の情報の中に、リモコン機能が含まれていない場合には、ステップＳ１２０へ進む。
【００７３】
ステップＳ１２０では、情報処理サーバ３０が、情報提供装置データベース４１の中の情報提供装置１０の情報（目的地の設定手順）に基づいて、ユーザが情報提供装置１０に対して目的地を設定する際の手順を示す目的地設定手順情報を作成する。
【００７４】
この目的地設定手順情報は、目的地の設定手順に対応するように情報設定装置２０のディスプレイ２２に表示される画像情報である。この画像情報としては、例えば、情報提供装置１０のディスプレイ１４上で、「名称検索」、「住所検索」、「ジャンル検索」及び「周辺検索」といった設定方法を選択する設定手順がある場合に対しては、そのディスプレイ１４の画像と同じ画像を用意して、「住所検索」のコマンドを点線で囲い、さらに、その画像の下部に、「住所検索ボタンを押す（点線で囲んだ場所）」といったテキスト情報Ｔ８を加えた画像情報を挙げることができる（図５参照）。
【００７５】
また、ユーザに対して、情報提供装置１０のディスプレイ１４上で都道府県の一覧から目的地の都道府県を選択させるといった手順に対応する目的地設定手順情報としては、そのディスプレイ１４の画像と同じ画像を用意して、選択すべき部分を枠で囲い、さらに、その画像の下部に、操作の手順を示すテキスト情報Ｔ９を加えた画像情報を挙げることができる（図５参照）。
【００７６】
また、ユーザが市区町村の一覧から目的地の市区町村を選択する手順に対する目的地設定手順情報や、「詳細住所入力欄」に詳細住所を入力する手順に対する目的地設定手順情報も、同様の画像情報とすることができる。
【００７７】
次いで、ステップＳ１２１では、情報処理サーバ３０が、上述した目的地設定手順情報を情報設定装置２０に送信する。
【００７８】
ステップＳ１２２では、情報設定装置２０が、情報処理サーバ３０から送信された目的地設定情報を受信して、図５に示すように、目的地の設定手順に応じた順番で、上述した目的地設定手順情報をディスプレイ２２に表示し、ユーザに対して、目的地を設定する際の支援を行う。
【００７９】
このように、本実施形態における目的地設定方法は、情報提供装置１０に目的地を設定することを支援する目的地設定支援方法を含んでいる。
【００８０】
次いで、ステップＳ１２３では、ユーザが、情報設定装置２０のディスプレイ２２に表示された目的地設定手順情報に基づいて、情報提供装置１０に目的地（ＰＯＩ情報）を入力する。
【００８１】
具体的には、図５に示すように、ユーザが、目的地の設定方法の選択を案内する画像情報（図５中の左端の画像）のテキスト情報Ｔ８に従って、情報提供装置１０のディスプレイ１４に表示された「名称検索」、「住所検索」、「ジャンル検索」及び「周辺検索」の中から「住所検索」を選択する。次に、ユーザは、目的地の住所の都道府県を設定を案内する画像情報（図５中の中央の画像）のテキスト情報Ｔ９に従って、情報提供装置１０のディスプレイ１４に表示された平仮名の各行の中から「た行」を選択して、次いで、同じくディスプレイ１４に表示された都道府県の一覧の中から「東京都」を選択する。詳細な説明を省略するが、市区町村や、詳細住所の入力も同様に行う。このようなステップＳ１２０〜Ｓ１２３においては、情報設定システム１は、情報設定支援システムとして機能する。
【００８２】
本実施形態では、情報設定装置２０が情報提供装置１０の機種情報を情報処理サーバ３０に送信するので、情報処理サーバが、情報提供装置１０における目的地の設定手順を示した目的地設定手順情報を作成することができる。
【００８３】
また、本実施形態では、情報提供装置１０に音声認識機能やリモコン機能がなく、情報設定装置２０が、目的地の情報を情報提供装置１０に対して出力できない場合であっても、情報設定装置２０のディスプレイ２２に目的地設定手順情報を表示することで、ユーザが、ＰＯＩ情報に基づいた目的地を、情報提供装置１０に対して簡単に設定することが可能となっている。
【００８４】
本実施形態におけるＰＯＩ情報が本発明における目的地情報の一例に相当し、本実施形態における音声情報及びコマンド情報が本発明の目的地設定情報の一例に相当し、本実施形態における画像情報が本発明の目的地設定手順情報の一例に相当し、本実施形態におけるディスプレイ２２が本発明の表示部の一例に相当し、本実施形態におけるステップＳ１０３及びＳ１１０が本発明の第１の送信ステップの一例に相当し、本実施形態におけるステップＳ１０４、Ｓ１１５及びＳ１１７が本発明の変換ステップの一例に相当し、本実施形態におけるステップＳ１０５、Ｓ１１８及びＳ１２１が本発明の第２の送信ステップの一例に相当し、本実施形態におけるステップＳ１０６及びＳ１１９が本発明の設定ステップの一例に相当し、本実施形態におけるステップＳ１２０が本発明の準備ステップの一例に相当し、本実施形態におけるステップＳ１２２が本発明の表示ステップの一例に相当する。
【００８５】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００８６】
１０…情報提供装置
２０…情報設定装置
２２…ディスプレイ
３０…情報処理サーバ
４０…記憶装置
４１…情報提供装置データベース
【図１】
0005803273.tif 000002
【図２】
0005803273.tif 000003
【図３】
0005803273.tif 000004
【図４】
0005803273.tif 000005
【図５】
0005803273.tif 000006